(57)【要約】  【課題】マグネットスイッチの作動のために使われるスイッチを単一構造のスイッチとして開閉作動を遂行することができるようにする。  【解決手段】引き・押し動作が可能なボタン１をスライド２と連結し、スライド２の内側に作動用非接点端子Ａ’、外側に作動用接点端子Ｂ’を両側が繋がれる状態で設置し、作動用非接点端子Ａ’の内側に離して、中央が断絶された状態の固定用非接点端子Ａを設置し、作動用接点端子Ｂ’の内側に、接電され、中央が断絶された固定用接点端子Ｂを設置し、固定用非接点端子Ａと接点端子Ｂを連結線Ｃで連結する。Ｒ線を単一のスイッチ１００の固定用接点端子Ｂに接電させ、Ｒ線の電流が固定用非接点端子Ａの一側と繋がれるＲ磁力線Ｄを通じてマグネットスイッチ４００に繋がれて固定用非接点端子Ａの他側と繋がれる開閉表示灯の入力線Ｃ’を通じてマグネットスイッチ４００と繋がれ、開閉表示灯の作動回路基板３００の常時入力部３はＴ線の基板の常時入力線Ｅに直結されてＴ磁力線Ｅ’でマグネットスイッチ４００と常に繋がれ、青色入力部４はマグネットスイッチ４００の青色表示灯の引込線ＦにＲ電流が流れて開閉表示灯１０を発光させ、赤色入力部５はマグネットスイッチ４００の赤色表示灯の引込線ＧにＲ電流が流れて開閉表示灯１０’を発光させる。  【選択図】  図１
2009527884.tif 000002
【特許請求の範囲】
【請求項１】
マグネットスイッチ（４００）を作動させてモーターを駆動し、それに従い開閉表示灯（１０）、（１０’）を点灯させるマグネットスイッチ作動用のスイッチにおいて、
引き・押し動作が可能なボタン（１）をスライド（２）と連結させ、
スライド（２）の内側には作動用非接点端子（Ａ’）、外側には作動用接点端子（Ｂ’）を両側が繋がれた状態で設置し、
前記作動用非接点端子（Ａ’）の内側に、作動用非接点端子（Ａ’）と離隔させて、中央が断絶された状態の固定用非接点端子（Ａ）を設置し、
前記作動用接点端子（Ｂ’）の内側に、作動用接点端子Ｂ’と接電され、中央が断絶された固定用接点端子（Ｂ）を設置し、
前記固定用非接点端子（Ａ）とＲ線が入力される側と反対側の接点端子（Ｂ）を連結線（Ｃ）で連結させた単一のスイッチ（１００）を構成し、
Ｒ線を単一のスイッチ（１００）の固定用接点端子（Ｂ）に接電させ、
連結線（Ｃ）と繋がれる側と反対側の固定用非接点端子（Ａ）と繋がれるＲ磁力線（Ｄ）を通じてマグネットスイッチ（４００）に繋がれ、
固定用非接点端子（Ａ）の連結線（Ｃ）と繋がれる開閉表示灯の入力線（Ｃ’）を通じてマグネットスイッチ（４００）と繋がれ、
開閉表示灯（１０）、（１０’）、常時入力部（３）、青色入力部（４）及び赤色入力部（５）で構成される開閉表示灯の作動回路基板（３００）の
常時入力部（３）は、Ｔ線の常時入力線（Ｅ）に直結され、Ｔ磁力線（Ｅ’）でマグネット磁力部（１１）と常に繋がれ、
青色入力部（４）は、青色表示灯の引込線（Ｆ）を経由してＲ電流が流れて開閉表示灯（１０）を発光させ、
赤色入力部（５）は、赤色表示灯の引込線（Ｇ）を経由してＲ電流が流れて開閉表示灯（１０’）を発光させる
ことができるようにしたことを特徴とするマグネットスイッチ作動用単一スイッチ。
【請求項２】
前記開閉表示灯の作動回路基板（３００）は、単一のスイッチ（１００）のボタン（１）の作動によって、開閉表示灯（１０）、（１０’）が点灯されるようにし、
常時入力部（３）は、常時入力線（Ｅ）によってＴ線が繋がれ、入力された電流は入力コンデンサー（６）を通じてブリッジダイオード（８）で整流され、オイルコンデンサー（９）の平滑回路を経由して、開閉表示灯（１０）、（１０’）が点灯され、
抵抗（７）は適切な電圧の供給で開閉表示灯（１０）、（１０’）を保護する
ように構成したことを特徴とする請求項１記載のマグネットスイッチ作動用単一スイッチ。
【請求項３】
前記単一のスイッチ（１００）のボタン１は、引き・押し動作を可能とし、
引く動作でモーターの駆動と開閉表示灯（１０）の発光を行い、
押す動作でモーターの停止と開閉表示灯（１０’）の発光を行う
ようにしたことを特徴とする請求項１記載のマグネットスイッチ作動用単一のスイッチ。
【発明の詳細な説明】
【技術分野】
【０００１】
本発明はマグネットスイッチの作動のために用いるスイッチを単一の構造のスイッチとして開閉作動を遂行することができるようにするマグネットスイッチ作動用の単一スイッチに関するものであり、より詳しくは、内・外部の固定用接点端子の一側を連結線で連結し、内・外部の作動用接点端子の引き・押し動作によって、マグネットスイッチを作動させてモーターを駆動することができる単一のスイッチで構成され、電子回路基板を使ってマグネットスイッチの開閉表示灯を作動させることができるようにしたものである。
【背景技術】
【０００２】
一般的にマグネットスイッチを作動させるためには、図４のように別途の作動用のスイッチを使ってマグネットスイッチをＯＮ（オン）、ＯＦＦ（オフ）させるが、前記マグネットスイッチをＯＮ、ＯＦＦさせるために、２個の独立したプッシュボタン方式のＯＮスイッチとＯＦＦスイッチを使ってマグネットスイッチを開閉作動させている実情である。
【０００３】
従来のマグネットスイッチを開閉作動させるために使われるスイッチは、独立した２個のＯＮスイッチとＯＦＦスイッチを使っているが、前記の従来スイッチ２００は、図４に示されるように、常に接点端子Ｂ、Ｂ’を内側に設置し、非接点端子Ａ、Ａ’を外側に設置し、ボタン１’の押し動作によってだけ作動するように構成されており、前記ボタン１’を押すとスライド２’が外部へ押され、作動用の非接点端子Ａ’と接点端子Ｂ’を作動させて、接点端子Ｂ、Ｂ’は開放され、非接点端子Ａ、Ａ’は接触し、マグネットスイッチを作動させていた。
【０００４】
上述の従来スイッチ２００ は、プッシュボタン方式のＯＮ、ＯＦＦは、図４のようにある一方だけ作動するように構成されており、ＯＦＦの作動を遂行するためにはもう一つのスイッチを使わざるを得ず、２個のスイッチを使っていた。
【０００５】
また、マグネットスイッチの開閉作動を表示する開閉表示灯１０、１０’の作動は、コイルトランスを使って作動させていた。
【０００６】
上述のように、マグネットスイッチを作動させるために、従来はスイッチ２００として、それぞれＯＮ、ＯＦＦ用に独立した２個のスイッチが要求され、開閉表示灯１０、１０’の作動もコイルトランスを使っていた。
【０００７】
これはスイッチ２００を設置する空間が必要なだけでなく、機器が複雑で、経済性が低下し、コイルトランスの使用によりスイッチの自重と体積が増大する問題点があった。
【発明の開示】
【発明が解決しようとする課題】
【０００８】
したがって、本発明は、上述のような従来の問題点を解決する目的で創出されたものであり、従来のプッシュボタン方式の２個のスイッチを引き・押し方式の単一のスイッチで構成し、その体積と大きさにおいて従来のスイッチ規格と等しい外形と大きさで製作し、一つのスイッチで作動するようにするので、スイッチの設置空間を縮めるだけでなく、操作の便宜性と維持補修による経済性を高め、開閉表示灯の作動はコイルトランス方式の代りに電子回路基板を使って開閉作動と同時に開閉表示されるようにすることで、機器の構成を単純化し、スイッチの全体の重量を減少させて、耐久性を高めたスイッチを提供できるようにしたものである。
【課題を解決するための手段】
【０００９】
マグネットスイッチ４００を作動させてモーターを駆動し、それに従い開閉表示灯１０、１０’を点灯させるマグネットスイッチ作動用のスイッチにおいて、引き・押し動作が可能なボタン１をスライド２と連結させ、スライド２の内側には作動用非接点端子Ａ’、外側には作動用接点端子Ｂ’を両側が繋がれた状態で設置し、前記作動用非接点端子Ａ’の内側に、作動用非接点端子Ａ’と離隔させて、中央が断絶された状態の固定用非接点端子Ａを設置し、前記作動用接点端子Ｂ’の内側に、作動用接点端子Ｂ’と接電され、中央が断絶された固定用接点端子Ｂを設置し、前記固定用非接点端子ＡとＲ線が入力される側と反対側の接点端子Ｂを連結線Ｃで連結させた単一のスイッチ１００を構成し、Ｒ線を単一のスイッチ１００の固定用接点端子Ｂに接電させ、連結線Ｃと繋がれる側と反対側の固定用非接点端子Ａと繋がれるＲ磁力線Ｄを通じてマグネットスイッチ４００に繋がれ、固定用非接点端子Ａの連結線Ｃと繋がれる開閉表示灯の入力線Ｃ’を通じてマグネットスイッチ４００と繋がれ、開閉表示灯１０、１０’、常時入力部３、青色入力部４及び赤色入力部５で構成される開閉表示灯の作動回路基板３００の常時入力部３は、Ｔ線の常時入力線Ｅに直結され、Ｔ磁力線Ｅ’でマグネット磁力部１１と常に繋がれ、青色入力部４は、青色表示灯の引込線Ｆを経由してＲ電流が流れて開閉表示灯１０を発光させ、赤色入力部５は、赤色表示灯の引込線Ｇを経由してＲ電流が流れて開閉表示灯１０’を発光させることができるようにする構造である。
【００１０】
前記開閉表示灯の作動回路基板３００は、単一のスイッチ１００のボタン１の作動によって、開閉表示灯１０、１０’が点灯されるようにし、常時入力部３は、常時入力線ＥによってＴ線が繋がれ、入力された電流は入力コンデンサー６を通じてブリッジダイオード８で整流され、オイルコンデンサー９の平滑回路を経由して、開閉表示灯１０、１０’が点灯され、抵抗７は適切な電圧の供給で開閉表示灯１０、１０’を保護するように構成される。
【００１１】
前記単一のスイッチ１００のボタン１は、引き・押し動作を可能とし、引く動作でモーターの駆動と開閉表示灯１０の発光を行い、押す動作でモーターの停止と開閉表示灯１０’の発光を行うようにする。
【発明の効果】
【００１２】
本発明は、従来のプッシュボタン方式の２個のスイッチを適用していたことに対し、引き・押し方式の単一のスイッチで構成し、その体積と大きさを従来の規格と等しい外形と大きさで製作してスイッチの設置空間を縮めるだけでなく、操作の便宜性と設置費及び維持補修による経済性を高め、開閉表示灯の作動はコイルトランス方式の代りに電子回路基板を使用し、開閉作動と同時に同じ表示灯に開閉表示されるようにして機器の構成を単純化させ、スイッチの全体の重量を減少させ、耐久性を高めるなどの効果がある。
【発明を実施するための最良の形態】
【００１３】
以下、発明の要旨を、添付図面に基づいて、その構成と作用を詳しく説明すれば、次のようである。
【００１４】
図１は本発明の作動系統を示す回路の構成図であり、引き・押しボタン方式の単一のスイッチでマグネットスイッチを作動させてモーターを駆動させ、電子回路基板を使ってマグネットスイッチの開閉表示灯を開閉と同時に点灯させ、開閉表示ができるようにすることを示したもの、 図２は本発明のスイッチ接点端子の構成を示す構造図であり、中央が断絶された固定用非接点端子の一側と固定用接点端子のＲ線入力端子ではない一側を連結線で連結して、作動用非接点端子と接点端子を、ボタンの引き・押し動作によって、マグネットスイッチを開閉作動させることができるようにした単一スイッチの構造を示したものであり、 図３は本発明の開閉表示灯の作動回路の詳細構成図であり、電子回路基板を適用してマグネットスイッチの開閉と同時に開閉表示灯が発光するようにしている。
【００１５】
このように構成される本発明は、一つのスイッチによって引き・押し動作でマグネットスイッチ４００を作動させて、モーターを駆動及び停止させると同時に、青色表示灯１０と赤色表示灯１０’を発光させて、迅速な作業遂行と作業状態を肉眼で容易に判断することができるようにする単一のスイッチ１００を提供するためのものである。
【００１６】
図１、図２に示されるように、Ｒ線が単一のスイッチ１００の固定用接点端子Ｂに接電され、連結線Ｃによって固定用接点端子Ｂと固定用非接点端子Ａの一側が繋がれており、ボタン１を引く動作を行うと、スライド２によって固定用接点端子Ｂと作動用接点端子Ｂ’は固定された状態で、固定用非接点端子Ａと作動用非接点端子Ａ’が接合され、固定用非接点端子Ａの両側が繋がれ、Ｒの電流が固定用非接点端子Ａの一側と繋がれるＲ磁力線Ｄに流れ、磁力部１１が磁気を帯びるようになると、マグネットスイッチ４００内の開放されたスイッチが閉まってモーターを駆動させることになる。
【００１７】
前記モーターが駆動されるとともに、変換接点端子１４は青色線連結部１３を通電させ、青色表示灯の引込線ＦにＲ電流が流れ、青色表示灯１０を発光させて、モーターが駆動されることを表示する。
【００１８】
前述の押す動作を行うと、固定用接点端子Ｂと作動用接点端子Ｂ’が離れてＲ電流が断絶され、磁力部１１が磁気を失って、マグネットスイッチ４００が開放され、モーターが停止され、この時、変換接点端子１４は赤色線連結部１２を連結させて、赤色表示灯の入力線ＧにＲ電流が流れ、赤色表示灯１０’を発光させて、モーターの駆動が止められることを表示するのである。
【００１９】
すなわち、開閉表示灯１０、１０’の系統線は、固定用接点端子Ｂと固定用非接点端子Ａの連結線Ｃと直結される開閉表示灯の入力線Ｃ’によって、常にＲ電流が流れており、変換接点端子１４の動作によって、開閉表示灯１０、１０’が選択的に発光するようになっているのである。
【００２０】
そして、単一のスイッチ１００のボタン１を、引いてそのままにすれば、スライド２が原位置へ復帰しながら、固定用非接点端子Ａと作動用非接点端子Ａ’はまた離隔されて、Ｒ磁力線Ｄに電流が流れなくなるが、変換接点端子１４によって青色表示灯の引込線Ｆに電流が流れており、青色表示灯の引込線Ｆと繋がれるＲ磁力補助線Ｄ’によってＲ電流が流れ、磁力部１１の動作には異常がないのである。
【００２１】
前記Ｔ線は単一のスイッチ１００を経ずに、基板の常時入力線Ｅを経て、開閉表示灯の作動回路基板３００の常時入力部３に直結され、またＴ線はＴ磁力線Ｅ’を経て磁力部１１と常に繋がれている。
【００２２】
前記単一のスイッチ１００のボタン１を押すと、スライド２が外側に押されながら固定用接点端子Ｂと作動用接点端子Ｂ’は離隔され、Ｒ電流が断絶されて、Ｒ磁力線Ｄに電流が遮断され、同時に磁力部１１の作動が解除され、マグネットスイッチ４００が開放されてモーターの駆動が停止される。
【００２３】
上述のようにモーターの駆動が止められることと同時に、変換接点端子１４は赤色線連結部１２を連結させ、スライド２が原位置へ復帰しても、常にＲ電流が流れている開閉表示灯の入力線Ｃ’と赤色表示灯の引込線Ｇが繋がれており、赤色表示灯１０’が発光してモーターが停止されていることを表示することになる。
【００２４】
前述のような作動は瞬間的な動作で、Ｒ磁力線Ｄと青色表示灯の引込線Ｆ及び赤色表示灯の引込線Ｇのどちら側の電線に、Ｒ電流が通電及び遮断されるかによって決まるのである。
【００２５】
前記作動は固定用非接点端子Ａの中央が断絶され、作動用非接点端子Ａ’によってだけＲ磁力線Ｄに接電が瞬間的になされることで稼動が始まり、作動用接点端子Ｂ’と固定用接点端子Ｂが離隔されてＲ電流を遮断させることで稼動が停止されるように構成である。
【００２６】
図３のように、単一のスイッチ１００のボタン１の引き・押し動作に従って、青色及び赤色の開閉表示灯１０、１０’が発光するように構成され、開閉表示灯作動回路基板３００の常時入力部３は、常時入力線ＥによってＴ線と繋がれており、入力された電流は入力コンデンサー６を通じてブリッジダイオード８で整流され、オイルコンデンサー９の平滑回路を経由して開閉表示灯１０、１０’が点灯され、Ｒ線と繋がれる抵抗７は適切な電圧の供給で開閉表示灯１０、１０’を保護することができるようになる。
【００２７】
前記単一のスイッチ１００のボタン１を引いた時にモーターを駆動させて、押す時にモーターを停止させることができるように構成することは、急にモーターを停止させなければならない状況が発生したとき、ボタン１の引く動作よりは押す動作が容易であり、瞬間的に実行できるようにするためである。
【００２８】
本発明は前述した特定の好ましい実施例に限定されず、特許請求範囲で請求する本発明の要旨を脱することなく、本発明が属する技術分野における通常の知識を有する者なら誰でも多様な変形実施が可能なことは勿論であり、そのような変更は特許請求範囲の記載の範囲内にあるものである。
【図面の簡単な説明】
【００２９】
【図１】本発明の作動系統を示す回路の構成図である。
【図２】本発明のスイッチ接点端子の構成を示す構造図である。
【図３】本発明の開閉表示灯の作動回路の詳細構成図である。
【図４】従来のスイッチの接点端子の構成を示す構造図である。
【図１】
2009527884.tif 000003
【図２】
2009527884.tif 000004
【図３】
2009527884.tif 000005
【図４】
2009527884.tif 000006
【国際調査報告】
2009527884.tif 000007
2009527884.tif 000008